(57)【要約】【課題】夏場着用しても暑く感じられることのない５本指付き靴下１の提供を目的とする。【解決手段】５本指付き靴下１は、親指用の指袋２と、これから区画された他の４本の指袋３，４，５，７と、５本の各指袋が合一された部分から足挿入口にかけて筒状に編成された靴下本体１５とを有する５本指付き靴下において、親指から薬指までの四指が合一された四本胴６と、土踏まず部分９との間にあって該四本胴６と小指用の指袋７とが合一された部分に位置する五本胴８の靴下裏側Ｂ部分、又は踵部分１０のうち少なくともいずれか一方の編地の厚みが、他の部分の編地より厚くされている構成にしてある。【選択図】図１
2007154342.tif 000002
【特許請求の範囲】
【請求項１】
親指用の指袋と、これから区画された他の４本の指袋と、５本の各指袋が合一された部分から足挿入口にかけて筒状に編成された靴下本体とを有する５本指付き靴下において、親指から薬指までの四指が合一された四本胴と、土踏まず部分との間にあって該四本胴と小指用の指袋とが合一された部分に位置する五本胴の靴下裏側部分、又は踵部分のうち少なくともいずれか一方の編地の厚みが、他の部分の編地より厚くされていることを特徴とする５本指付き靴下。
【請求項２】
親指の指袋の編地の厚みが、五本胴の靴下裏側部分、又は踵部分のうち少なくともいずれか一方の厚く編成された編地と同程度に厚くされていることを特徴とする請求項１に記載の５本指付き靴下。
【請求項３】
厚く編成される部分の編糸が、厚く編成される部分以外の編糸の略２倍の太さ若しくは略２倍の本数に増加されていることを特徴とする請求項１又は請求項２に記載の５本指付き靴下。
【請求項４】
踵部分が略台形に膨らんだ形状に構成されていることを特徴とする請求項１乃至請求項３のいずれか一項に記載の５本指付き靴下。
【発明の詳細な説明】
【技術分野】
【０００１】
本発明は、５本指付き靴下に関するものである。
【背景技術】
【０００２】
従来より、夏場に掻く汗を吸収し、水虫や悪臭を防止するため靴下の爪先部分に５本の指袋を設け、各指が夫々入れられるようにした５本指付き靴下が開発され、広く販売されている。かかる５本指付き靴下は５本指付きでない靴下に比較して着用した際足指に圧迫感があり、穿き心地が悪いので、爪先部分の編地を他の部分より薄いものとした技術が下記特許文献１に開示されている。
【０００３】
【特許文献１】特開平１０−３７０４８号公報
【発明の開示】
【発明が解決しようとする課題】
【０００４】
上記のように、５本指付き靴下は特に水虫や悪臭の防止のため夏場に着用する必要があるが、夏場に靴下を穿くことは素足の場合に比較して汗をかいた際に蒸れたりし易く、穿き心地がよくなかった
【０００５】
本発明は、上記した従来の問題点に鑑みてなされたものであって、夏場着用しても暑く感じられることのない５本指付き靴下の提供を目的とする。
【課題を解決するための手段】
【０００６】
上記目的を達成するために、本発明に係る５本指付き靴下は、親指用の指袋と、これから区画された他の４本の指袋と、５本の各指袋が合一された部分から足挿入口にかけて筒状に編成された靴下本体とを有する５本指付き靴下において、親指から薬指までの四指が合一された四本胴と、土踏まず部分との間にあって該四本胴と小指用の指袋とが合一された部分に位置する五本胴の靴下裏側部分、又は踵部分のうち少なくともいずれか一方の編地の厚みが、他の部分の編地より厚くされている構成にしてある。
【０００７】
また、前記構成において、親指の指袋の編地の厚みが、五本胴の靴下裏側部分、又は踵部分のうち少なくともいずれか一方の厚く編成された編地と同程度に厚くされているものである。
【０００８】
そして、厚く編成される部分の編糸が、厚く編成される部分以外の編糸の略２倍の太さ若しくは略２倍の本数に増加されているものである。
【０００９】
更に、前記した各構成において踵部分が略台形に膨らんだ形状に構成されているものである。
【発明の効果】
【００１０】
本発明に係る５本指付き靴下によれば、全体の編地が厚い通常の５本指付き靴下に比較して靴下の多くの部分が薄い編地により編成され、特に破れ易い五本胴の靴下裏側部分又は踵部分のうち少なくともいずれか一方が厚手の編地により編成されるので、夏場に着用して汗を掻いても速やかに乾燥でき蒸れるのを防止することができる。これにより、蒸れによる水虫等の雑菌の繁殖を防ぎ、衛生的で快適な靴下を提供することができる。
【００１１】
また、親指の指袋の編地が厚い場合には、体重がかかるために摩擦が生じ編地を傷めたり、爪で引っ掻くといったこと等によって最も破れ易い部位の一つである親指の指袋が丈夫なものとなり耐久性に優れた靴下にすることができる。
【００１２】
更に、五本胴の靴下裏側部分又は踵部分の少なくともいずれか一方の編地の編糸が他の部分の編糸の略２倍の太さ又は略２倍の本数である場合には、編地の薄い部分と厚い部分のバランスから適度な通気性と、十分な耐久性のある靴下を得ることができる。
【００１３】
そして、踵部分が略台形に膨らんだ形状に構成されている場合は、該踵部分は甲側編地が休められ、別仕立てで編成されるので、踵部分の甲側編地を厚くすることなく裏側の踵部分のみ編地を厚くすることが可能となり、着用した際より涼しく感じられる。
【発明を実施するための最良の形態】
【００１４】
本発明の最良の実施形態を図面に基づいて説明する。
本形態で使用する横編機は、編針を昇降可能に装着したニードルベッドを、その歯口部が近接する状態で側面視において"ハ"の字型で前後に配設し、各ニードルベッドの上面を摺動走行するキャリッジで各編針が昇降操作されるとともに、前後のニードルベッドが相対的に移動（ラッキング）可能にした周知の構造のものが使用される。
【００１５】
本形態にかかる５本指付き靴下は、図１に示すような５本指用の指袋と５本の各指袋を合一し足挿入口１３にかけて筒状に編成される靴下本体１５とが形成されている踵付き靴下を編成する場合であって、図１は５本指付き靴下の底面図、図２は５本指付き靴下の右側面図であり、図中符号１は５本指付き靴下を全体的に示す。この靴下１は、横編機の前後のニードルベッドの編針に亙って編糸をジグザグに給糸して夫々爪先部分から編み出された親指用の指袋２、人指し指用の指袋３、中指用の指袋４の指袋、薬指用の指袋５が編成された後、これらの指袋２〜５が合一された四本胴６が所定コース編成され、更に、小指用の指袋７が編成される。ここで、前記横編機の前側のニードルベッドで靴下の裏側Ｂ（足の裏側）部分を後側のニードルヘッドで靴下の甲側Ｉ（表側）部分が編成される。
【００１６】
その後、四本胴６と小指用の指袋７とが合一された五本胴８が所定コース分編成される。五本胴８部分は裏側Ｂ編地を甲側Ｉ編地より厚くして編成するため、キャリッジを前側のニードルベッドと後側のニードルべッドの間で周回状に走行させるのではなく、前側のニードルベッドのみを太い編糸若しくは本数を増加させた編糸を給糸して往復させ、次に、後側のニードルヘッドのみを細い編糸又は本数を減少させた編糸で往復させコース数を合わせる。ここで、前側のニードルベッドが走行し、端部に到達した際には対向する後側のニードルヘッドの端部の編針に給糸をタックさせる必要がある。こうした編成を順次繰り返して五本胴８部分の編地を裏側Ｂは厚く、甲側Ｉは薄く編成する。
【００１７】
更に、ゴム糸又は弾性糸を挿入しその径を小径にて括れを形成した土踏まず部分（弾性収縮編地部分）９が形成され、靴下の裏面側編地に略台形に膨らませた踵部分１０が形成される。
【００１８】
踵部分１０は、靴下の甲側Ｉの編地を編成する後側のニードルベッドの編針はループを掛止したままで休止させ、前側のニードルベッドの両端の編針に給糸をタックさせ、その間の他の編針にループを形成する。更に、前側のニードルベッドのループを形成した編針のうち両端の編針に給糸をタックさせ、その間の他の編針にループを形成する。こうした編成を順次繰り返して前側のニードルベッドの編針での編幅を狭め、踵部分１０の先端部になると、逆に編幅を広めて略台形状に膨らんだ踵部分が形成されるのである。
【００１９】
踵部分１０が形成されると、前後のニードルベッドの編針に周回状に編糸が供給されて筒状編地が編成されて、踝部分１１が形成された後、ゴム糸又は弾性糸が挿入された足首部分１２、脹脛部分１４を経て足挿入口１３に至るまで略ストレート状の筒状に編成される。そして、足挿入口１３部分の上端は捨て編み等の端部処理がなされて横編機から払い落とされる。この端部処理された部分は上端部が内方に折り返され、端部がすくい縫いにより脹脛部分１４の上端内面に縫着されたり、解れ止め等の処理がされる。また、この端部の処理はオーバーロックや伏せ目処理若しくは熱融着により行われることもある。
【００２０】
上記のようにして編成された靴下１の五本胴８の靴下裏側Ｂ部分と、踵部分１０の編地は他の部分、即ち、各指袋２，３，４，５，７、四本胴６、土踏まず部分９、踝部分１１、足首部分１２及び脹脛部分１４の編地より厚い編地により編成するために、編糸の太さ若しくは本数が略２倍に増加されている。例えば、五本胴８の裏側Ｂ部分及び踵部分１０の編糸は綿糸３０番双糸２本とウーリーナイロン４５０デニール等とされ、五本胴８及び踵部分１０以外の編地の編成に給糸される編糸は綿糸３０番双糸１本とウーリーナイロン３００デニール等とされる。また、ゴム糸又は弾性糸が挿入される土踏まず部分９、足首部１２及び脹脛部分１４にはゴム糸９０番又１００番が使用されている。
【００２１】
略２倍より細い糸又は略２倍より少ない本数とすると、横編み機によって靴下を製造する際あまりに編地が薄くなり過ぎて編糸が切れ、編地が破れて製造できなくなり、逆に、略２倍よりも太い糸又は本数とすると、完成した靴下を着用してもあまり涼しく感じられない。
【００２２】
本形態の５本指靴下１は、全体の編地が最も破れ易い五本胴８や踵部分１０の耐久期間に合わせ靴下全体が厚い編地とされている５本指付き靴下に比較して、靴下の多くの部分が薄い編地により編成されているために、見た目にも涼しく感じられ、夏場に着用して汗を掻いても速やかに乾燥でき蒸れるのを防止することができる。特に隣合う指間に２重に介在する編地により圧迫感があり蒸れやすかった四本胴６の部分の編地を薄くすることで、圧迫感もなく蒸れにくくなる。よって、蒸れによる水虫等の雑菌の繁殖を防ぐことができ、衛生的で快適な靴下を提供することができる。
【００２３】
また、特に破れ易い五本胴８の裏側Ｂ部分及び踵部分１０のみ厚手の編地により構成したので、全体の編地が厚い５本指付き靴下と比較しても耐久性において劣るといったことがない。更に、全体が薄手の靴下を穿いた状態で靴を履いたときや床面を歩いたときなどにはしばしば足裏が靴底や床面等に密着するような感じがし、靴底や床面の温度状態等を感じて気分を害するといったことがあるが、本形態では靴底や床面に接する部分である五本胴８の裏側Ｂ部分及び踵部分１０がその他の部分より厚く編成されているので、着用時の涼しい心地を維持しつつ、足裏と靴底や床面との密着感がなく、これらの間に適度な空間ができて、靴の履き心地や床面の歩き心地もよくなる。
【００２４】
そして、五本胴８の裏側Ｂ部分又は踵部分１０の少なくともいずれか一方の編地の編糸が他の部分の編糸の略２倍の太さ又は略２倍の本数である場合には、編地の薄い部分と厚い部分のバランスから適度な通気性と、十分な耐久性のある靴下を得ることができる。
【００２５】
更に、踵部分１０が略台形の膨らんだ形状に構成されているので、甲側Ｉ編地は薄い編地とすることができ、踵部分がかかる形状でない場合に比較してより涼しく感じられる。
【００２６】
また、五本胴８部分はキャリッジを周回させずに裏側Ｂ編地と甲側Ｉ編地でキャリッジを前側ニードルヘッドと後側ニードルヘッドで夫々編糸を変えて往復させ、裏側Ｂは厚く、甲側Ｉは薄くなるよう編成したので、甲側Ｉ編地は爪先から足挿入口１３まで連続的に薄い編地で編成されることとなり、着用した際の外観がよくなると共に、強度を持たせる必要のない足の甲側Ｉ編地を薄くしてより涼しくできる。
【００２７】
尚、上記の実施形態では、五本胴８の裏側Ｂ部分及び踵部分１０の双方の編地を厚く編成したが、これに限定されるものでなく、五本胴８の裏側Ｂ部分又は踵部分１０のいずれか一方だけを厚くして、他方を靴下の他の部分の編地と同等に薄く編成してもよい。また、五本胴８部分は裏側Ｂ編地のみ厚くし、甲側Ｉ編地は薄く編成したが、甲側Ｉ編地も厚くしてもよい。この場合には、前側のニードルヘッド及び後側のニードルヘッドで編糸を変える必要はなく、太い若しくは本数を増加させた編糸で前側と後側双方のニードルベッドを周回させて編成する。また、踵部分１０が略台形の膨らんだ形状に編成されていたが、略台形に膨らんだ部分が編成されない、踵にあたる部分が筒状に編成され、左右兼用できる形状のものであってもよい。
【００２８】
また、五本胴８、踵部分１０に加え、親指の指袋２の編地をこれらと同等程度に厚くして編成してもよい。通常、５本指に区画されていない靴下の場合には、着用する際引張られ、着用中にも体重等がかかって摩擦が生じ編地を傷めたり、爪で引っ掻くといったことがおこるのが親指の先端部分であり該部位が最も破れ易いが、５本指付き靴下の場合には各指が区画されているために着用時の引張りに対し指の付け根部分で引張応力を受け止めるので、親指の先端部分は比較的破れにくいものである。しかし、それでも尚、該親指の指袋２が他の部分より先に破れてしまうといった事態もあり得、かかる場合には親指の指袋２を厚くすることで、耐久性を向上させることができ、長く着用できることとなる。
【図面の簡単な説明】
【００２９】
【図１】本発明の一実施形態に係る５本指付き靴下の底面図である。
【図２】前記５本指付き靴下の右側面図である。
【符号の説明】
【００３０】
１  靴下
２  親指用の指袋
３  人差し指用の指袋
４  中指用の指袋
５  薬指用の指袋
６  四本胴
７  小指用の指袋
８  五本胴
９  土踏まず部分
１０  踵部分
１３  足挿入口
１４  靴下本体
Ｂ  裏側
【図１】
2007154342.tif 000003
【図２】
2007154342.tif 000004